(57)【要約】【課題】キャビネット後面の入力端子（コネクタ）に対する映像端子の接続作業や交換接続作業をテレビの前方から容易に行える薄型テレビを提供する。【解決手段】フロントキャビネット１１の前面開口部１１ａに映像表示部として液晶モジュール２をスライド可能に取付け、映像端子が接続される入力端子６ａを後面側に保持した端子保持体６を、リアキャビネット１２の後面開口部１２ａに前後回動可能に取付けた構成の薄型テレビとする。液晶モジュール２をスライドさせてフロントキャビネット１１の前面開口部１１ａを開放し、テレビの前方から手を入れてリアキャビネット１２の端子保持体６を前方（手前）に回動させて入力端子６ａをキャビネット内に取り込み、後面開口部１２ａから引き込んだケーブル先端の映像端子を端子保持体６の入力端子６ａに接続する。【選択図】図２
2012156913.tif 000002
【特許請求の範囲】
【請求項１】
キャビネットの前面開口部に映像表示部をスライド可能に取付け、映像端子が接続される入力端子を後面側に保持した端子保持体を、キャビネットの後面開口部に前後回動可能に取付けたことを特徴とする薄型テレビ。
【請求項２】
キャビネットの前面開口上縁部と前面開口下縁部の裏側に凹溝型又は凸条型のレール部を設け、この凹溝型又は凸条型のレール部に、映像表示部の上辺と下辺に設けた凸条部又は凹溝部を摺動自在に嵌挿して、映像表示部を左右方向にスライド可能に取付けたことを特徴とする請求項１に記載の薄型テレビ。
【請求項３】
映像表示部の上辺の一端部に、映像表示部が所定距離だけスライドしたとき凹溝型又は凸条型のレール部の一端に当たって映像表示部のスライドを停止させるストッパーを設けたことを特徴とする請求項２に記載の薄型テレビ。
【発明の詳細な説明】
【技術分野】
【０００１】
本発明は薄型テレビに関し、更に詳しくは、映像表示部をスライドさせて映像端子をテレビの前面側から後面側の入力端子に容易に接続できるように工夫した薄型テレビに関する。
【背景技術】
【０００２】
近年、テレビジョン受像機の主流は、ブラウン管内蔵型の奥行きが大きいものから、液晶モジュール（液晶パネルとバックライトを一体化したもの）を内蔵した薄型のものに変化してきた。かかる薄型の液晶テレビは、一般に、地上アナログ放送、地上デジタル放送、衛生放送、ケーブル放送などの各種の映像端子を接続するための入力端子（コネクタ）の多くがキャビネットの後面に設けられており、映像端子を接続したときにケーブルが液晶テレビのキャビネットの背後に隠れて目立たないように配慮されている。
【０００３】
一方、前側に表示面を有する表示部の後側に光源部を配置した薄型表示装置において、表示部の周縁部分の複数箇所と光源部とを、前後への平行運動をなす連結体により連結し、表示部を前方へ移動させることによって、ランプの交換を伴う光源部のメンテナンスなどを装置の前側で行えるようにした薄型表示装置が知られている（特許文献１）。
【０００４】
また、ケーシングの内部に表示手段を有し、ケーシングの外面に入出力端子部を有するテレビジョン受像機において、入出力端子部のパネル板の一端に支柱を設け、ケーシングの背面から側面にかけて形成されたレールに上記支柱を係止させることにより、入出力端子部のパネル板をケーシングの背面と側面との間で移動可能として、入出力端子部をケーシングの背面と側面とに変位させて露出させるようにしたものも知られている（特許文献２）。
【０００５】
また、基板に固定される箱状のバックライトの一側面にスリット状の挿入穴を設けると共に、残る三側面に少なくとも一つの浮き防止リブを設け、挿入穴から液晶表示板をバックライト内に挿入して浮き防止リブで挟持し、挿入穴の内上面の係止リブで液晶表示板の抜けを防止するように構成した、携帯電話機の液晶表示板の固定構造も知られている（特許文献３）。
【先行技術文献】
【特許文献】
【０００６】
【特許文献１】特開２００９−１５０９３９号公報
【特許文献２】特開平１１−９８４３７号公報
【特許文献３】特開平９−１２７４９０号公報
【発明の概要】
【発明が解決しようとする課題】
【０００７】
薄型の液晶テレビは壁際に設置されることが多いが、前記のように各種の映像端子を接続する入力端子（コネクタ）がキャビネット後面に設けられていると、キャビネット後面の入力端子の位置を薄型テレビの上方もしくは側方より目で確認しながら、腕を薄型テレビと壁面との間に入れて不自然な姿勢で映像端子の接続作業や交換接続作業をしなければならないという問題があり、特に大画面の薄型液晶テレビをラックに載せて壁際に設置しているような場合には、作業がし辛いという問題があった。このような問題は、薄型テレビの前方から映像端子をキャビネット後面の入力端子に接続できるように工夫すれば、解決することができる。
【０００８】
一方、前記特許文献１の薄型表示装置のように、連結体によって表示部を前方へ移動可能にしたものは、表示部を前方へ移動させて、装置内部のランプ交換などの作業を装置の前側で行うことはできるが、装置後面の入力端子に映像端子を接続する作業を装置の前側で行うことはできない。しかも、連結体によって表示部を前方へ移動可能にした薄型表示装置は、表示部を前方へ移動させたときに装置本体との間に形成される隙間が大きくないので、装置内部のランプ交換などの作業もし易いものではない。
【０００９】
また、特許文献２のテレビジョン受像機のように、入出力端子部のパネル板をケーシングの背面と側面との間で移動可能としたものは、入出力端子部のパネル板をケーシングの側面に移動させて映像端子の接続作業や交換接続作業を行った後、パネル板をケーシングの背面に戻すことはできるが、パネル板の移動機構が複雑でコストアップを招くという問題があり、しかも、テレビジョン受像機の側面の奥行き寸法がパネル板の横幅寸法以上でなければならないため、この特許文献２のパネル板の移動機構に関する技術を薄型テレビに採用することは困難である。
【００１０】
なお、特許文献３は、携帯電話機の液晶表示板を箱状のバックライトに挿入固定する技術を開示したものであって、前述した薄型テレビの問題を解決するのに役立つものではない。
【００１１】
本発明は上記事情の下になされたもので、その解決しようとする課題は、キャビネット後面の入力端子（コネクタ）に対する映像端子の接続作業や交換接続作業をテレビの前方から容易に行うことができる薄型テレビを提供することにある。
【課題を解決するための手段】
【００１２】
上記課題を解決するため、本発明に係る薄型テレビは、キャビネットの前面開口部に映像表示部をスライド可能に取付け、映像端子が接続される入力端子を後面側に保持した端子保持体を、キャビネットの後面開口部に前後回動可能に取付けたことを特徴とするものである。
【００１３】
本発明の薄型テレビにおいては、キャビネットの前面開口上縁部と前面開口下縁部に凹溝型又は凸条型のレール部を設け、この凹溝型又は凸条型のレール部に、映像表示部の上辺と下辺に設けた凸条部又は凹溝部を摺動自在に嵌挿して、映像表示部を左右方向にスライド可能に取付けることが好ましい。そして、映像表示部の上辺の一端部に、映像表示部が所定距離だけスライドしたとき凹溝型又は凸条型のレール部の一端に当たって映像表示部のスライドを停止させるストッパーを設けることが好ましい。
【発明の効果】
【００１４】
本発明の薄型テレビは、映像表示部をスライドさせてキャビネットの前面開口部を開放し、この前面開口部から手を入れて、キャビネットの後面開口部に取付けられた端子保持体を前方（手前）に回動させて入力端子をキャビネット内に取り込み、キャビネットの後面開口部からキャビネット内へ引き込んだケーブル先端の映像端子を端子保持体の入力端子に接続した後、端子保持体を逆方向に回動させてキャビネットの後面開口部を閉じ、映像表示部を逆方向にスライドさせてキャビネットの前面開口部を閉じることにより、キャビネット後面の入力端子に対する映像端子の接続作業をテレビの前方から容易に行うことができる。そして、映像端子の交換接続作業も上記と同じ要領で容易に行うことができる。
【００１５】
また、キャビネットの前面開口部の上縁と下縁に凹溝型又は凸条型のレール部を設け、この凹溝型又は凸条型のレール部に、映像表示部の上辺と下辺に設けた凸条部又は凹溝部を摺動自在に嵌挿して、映像表示部を左右方向にスライド可能に取付けた薄型テレビは、映像表示部のスライド操作をスムーズに行うことができ、所望のスライド位置で映像表示部を停止させることができる。そして、映像表示部の上辺の一端部にストッパーを設けた薄型テレビは、映像表示部が所定距離だけスライドしたときに、該ストッパーがキャビネットの前面開口部上縁の凹溝型又は凸条型のレール部の一端に当たって映像表示部のスライドを停止させるので、映像表示部が過剰にスライドして脱落する心配を解消することができる。
【図面の簡単な説明】
【００１６】
【図１】本発明の一実施形態に係る薄型テレビの正面図である。
【図２】映像表示部をスライドさせてキャビネットの前面開口部を開放した状態の同薄型テレビの正面図である。
【図３】映像表示部をスライドさせ、キャビネットの後面開口部の端子保持体を前方（手前）に回動させて、その入力端子にケーブル先端の映像端子を接続した状態の同薄型テレビの正面図である。
【図４】図１のＡ−Ａ線に沿った概略断面図である。
【発明を実施するための形態】
【００１７】
以下、図面を参照して、本発明に係る薄型テレビの一実施形態を説明する。
【００１８】
図１〜図４は大画面の薄型液晶テレビを示しており、この薄型液晶テレビのキャビネット１は、図４に示すように、合成樹脂製のフロントキャビネット１１とリアキャビネット１２で構成されている。フロントキャビネット１１は長方形の大きい前面開口部１１ａを有するもので、この前面開口部１１ａには、映像表示部として長方形の大きい液晶モジュール２が、図１〜図３に示すように左右方向にスライド可能に取付けられている。
【００１９】
即ち、この実施形態の薄型液晶テレビは、図４に示すように、フロントキャビネット１１の前面開口上縁部１１ｂと前面開口下縁部１１ｃの裏面側に、凸条型のレール部３ａ，３ｂが水平に設けられており、液晶モジュール２の上辺と下辺に形成された凹溝部２ａ，２ｂが凸条型のレール部３ａ，３ｂに摺動自在に嵌挿されて、液晶モジュール２が左右方向にスライド可能に取付けられている。
なお、この実施形態とは逆に、フロントキャビネット１１の前面開口上縁部１１ｂと前面開口下縁部１１ｃの裏面側に凹溝型のレール部を水平に設け、液晶モジュール２の上辺と下辺に形成した凸条部を凹溝型のレール部に嵌挿して、液晶モジュール２を左右方向にスライド可能に取付けるようにしてもよい。
【００２０】
図２，図３に示すように、フロントキャビネット１１の前面開口右縁部１１ｄ（液晶モジュール２をスライドさせる側の縁部）は、前面開口上縁部１１ｂや前面開口下縁部１１ｃと別個に形成されて、液晶モジュール２の右辺に固定されている。従って、この前面開口右縁部１１ｄを指で掴んで液晶モジュール２を右方向に簡単にスライドさせることができるようになっている。
なお、フロントキャビネット１１の前面開口右縁部１１ｄを前面開口上縁部１１ｂや前面開口下縁部１１ｃと一体に形成して、液晶モジュール２のみをスライドさせるように構成してもよいことは言うまでもない。
【００２１】
図１に示すように、フロントキャビネット１１の前面開口下縁部１１ｃの裏面側のレール部３ｂは、前面開口下縁部１１ｃのほぼ全長に亘って設けられているが、前面開口上縁部１１ｂの裏面側のレール部３ａは、前面開口上縁部１１ｂのほぼ中央から右端に亘ってほぼ半分の長さに設けられている。そして、液晶モジュール２の上辺の左端部にはストッパー４が設けられている。このため、液晶モジュール２を右方向にほぼ半分スライドさせると、図２に示すようにストッパー４がレール部３ａの左端に当たって液晶モジュール２のスライドが停止し、フロントキャビネット１１の前面開口部１１ａのほぼ左半分が開放されるようになっている。従って、液晶モジュール２が過剰にスライドして脱落する心配はない。
【００２２】
なお、通電時に液晶モジュール２をスライドさせることは好ましくないので、液晶モジュール２のスライド開始を検出するセンサを組み込んで、液晶モジュール２がスライドを開始すると自動的に電源がシャットダウンするように構成することが望ましい。
【００２３】
映像表示部である上記の液晶モジュール２は、リアフレーム内に直下ライト型又はエッジライト型のバックライトユニットを組み込むと共に、その前面に液晶パネルを配置してベゼルで囲んだ薄型のものであり、この液晶モジュール２の背面にはメイン配線基板５が取付けられている。
【００２４】
図２，図３に示すように、リアキャビネット１２の左端寄りには、適度な大きさを有する方形の後面開口部１２ａが形成されており、この後面開口部１２ａには、方形板状の端子保持体６が、その片側の上下の軸部を上下の軸受部１２ｂ，１２ｂで支持させることにより、前後回動可能に取付けられている。この端子保持体６は、各種の映像端子７が接続される複数の入力端子（コネクタ）６ａを後面側に配設したものであって、端子保持体６の前面には基板（不図示）が取付けられており、この基板と液晶モジュール２の後面のメイン基板５が、液晶モジュール２のスライドを許容する充分な長さを持ったＦＦＣ（不図示）で接続されている。
【００２５】
上記構成の薄型テレビは、次の要領でテレビの前方から映像端子７の接続作業を容易に行うことができる。先ず、液晶モジュール２を図２に示すように右方向に半分ほどスライドさせて、フロントキャビネット１１の前面開口部１１ａのほぼ左半分を開放する。次いで、この開放された前面開口部１１ａから手を入れ、図３に示すように、リアキャビネット１２の端子保持体６を前方（手前）に回動させて端子保持体６の後面の入力端子（コネクタ）６ａをキャビネット１内に取り込み、リアキャビネット１２の後面開口部１２ａからキャビネット１内へ引き込んだケーブル先端の映像端子７を端子保持体６の入力端子６ａに接続する。この接続作業は、フロントキャビネット１１の前面開口部１１ａのほぼ左半分が大きく開放されているので、容易に行うことができる。接続が終わると、端子保持体６を逆方向（後方）に回動させてリアキャビネット１２の後面開口部１２ａを閉じ、液晶モジュール２を逆方向（左方向）にスライドさせてフロントキャビネット１１の前面開口部１１ａを元通りに閉じることにより、作業を完了する。
なお、映像端子７の交換接続作業も上記と同じ要領で容易に行えることは言うまでもない。
【００２６】
上記実施形態の薄型テレビでは、映像表示部である液晶モジュール２を右方向にスライドさせてフロントキャビネット１１の前面開口部１１ａのほぼ左半分を開放させるようにし、リアキャビネット１２の左端寄りに形成した後面開口部１２ａに端子保持体６を前後回動可能に取付けているが、これとは逆に、液晶モジュール２を左方向にスライドさせてフロントキャビネット１１の前面開口部１１ａのほぼ右半分を開放させるようにし、リアキャビネット１２の右端寄りに形成した後面開口部１２ａに端子保持体６を前後回動可能に取付けてもよい。
また、上記実施形態の薄型テレビでは、フロントキャビネット１１の前面開口上縁部１１ｂと前面開口下縁部１１ｃに凹溝型又は凸条型のレール部３ａ，３ｂを設け、この凹溝型又は凸条型のレール部３ａ，３ｂに、液晶モジュール２の上辺と下辺に設けた凸条部又は凹溝部２ａ，２ｂを摺動自在に嵌挿して、液晶モジュール２を左右方向にスライド可能に取付けているが、液晶モジュールのスライド機構はこれに限定されるものではなく、例えばレールとローラなど、従来公知の種々のスライド機構を採用することが可能である。
【符号の説明】
【００２７】
１    キャビネット
１１  フロントキャビネット
１１ａ  前面開口部
１１ｂ  前面開口上縁部
１１ｃ  前面開口下縁部
１２  リアキャビネット
１２ａ  後面開口部
２    液晶モジュール（映像表示部）
２ａ，２ｂ  凹溝部
３ａ，３ｂ  凸条型のレール部
４    ストッパー
６    端子保持体
６ａ  入力端子（コネクタ）
７    映像端子
【図１】
2012156913.tif 000003
【図２】
2012156913.tif 000004
【図３】
2012156913.tif 000005
【図４】
2012156913.tif 000006